(57)【特許請求の範囲】
【請求項１】
自装置に関する複数の機能の一覧を画像として表示する表示部と、
前記機能の一覧の中からユーザが目的の機能を選択する選択操作を受け付ける操作部と、
ユーザの視線の位置から、前記表示部以外の箇所であり、自装置に対しユーザが見ている箇所を判断し、当該箇所に関係する機能の一覧を当該表示部に表示する制御を行なう制御部と、
を備える情報処理装置。
【請求項２】
前記制御部は、ユーザが自装置に対し事前に処理を行なっていたときは、前記箇所に関係する機能を表示せずに、ユ−ザが事前に行なった処理に関する機能を前記表示部に表示することを特徴とする請求項１に記載の情報処理装置。
【請求項３】
前記制御部は、ユーザが、前記箇所を見た後に前記表示部を見たときに、当該表示部に対するユーザの視線の位置に表示する機能に応じた機能を再構成して当該表示部に表示することを特徴とする請求項１に記載の情報処理装置。
【請求項４】
前記制御部は、再構成前に表示していた機能より表示していなかった当該機能を優先して表示することを特徴とする請求項３に記載の情報処理装置。
【請求項５】
ユーザの視線を検知する検知部と、
自装置に関する複数の機能の一覧を画像として表示する表示部と、
前記機能の一覧の中からユーザが目的の機能を選択する選択操作を受け付ける操作部と、
前記検知部により検知したユーザの視線の位置から、前記表示部以外の箇所であり、自装置に対しユーザが見ている箇所を判断し、当該箇所に関係する機能の一覧を当該表示部に表示する制御を行なう制御部と、
を備える情報処理システム。
【請求項６】
記録材に画像を形成する画像形成部と、
自装置に関する複数の機能の一覧を画像として表示する表示部と、
前記機能の一覧の中からユーザが目的の機能を選択する選択操作を受け付ける操作部と、
ユーザの視線の位置から、前記表示部以外の箇所であり、自装置に対しユーザが見ている箇所を判断し、当該箇所に関係する機能の一覧を当該表示部に表示する制御を行なう制御部と、
を備える画像形成装置。
【発明の詳細な説明】
【技術分野】
【０００１】
本発明は、情報処理装置、情報処理システム、画像形成装置に関する。
【背景技術】
【０００２】
情報処理装置の表示部において自装置に関する機能の一覧を画像として表示するときがある。そしてユーザはこの一覧の中から目的の機能を選択する方法が一般的に用いられている。
【０００３】
特許文献１には、表示部は、ユーザーにより選択される複数のオブジェクトを一画面に表示し、視線検出部は、ユーザーの視線が向けられた表示部上の視認座標を検出し、オブジェクト視認時間算出部は、視線検出部により検出された視認座標がオブジェクトの範囲内であった時間を算出し、選択除外部は、オブジェクト視認時間算出部により算出された時間が時間閾値より長く、且つ、当該オブジェクトが選択された頻度が頻度閾値より多かった場合、オブジェクトをユーザーの選択の候補から除外する電子機器が開示されている。
【先行技術文献】
【特許文献】
【０００４】
【特許文献１】特開２０１５−１４１６６８号公報
【発明の概要】
【発明が解決しようとする課題】
【０００５】
情報処理装置の表示部に表示された画像からユーザが目的の機能を選択する場合、ユーザによっては自分の使いたい機能がどこにあるか分かりにくい場合がある。例えば、機能が階層構造で表示される場合、階層を深くすると階層を降りたり上がったりすると手間と時間がかかり、階層を浅くして一つの画面上に多くの機能を表示するとユーザが目的の機能を探すのに時間を要する問題がある。
本発明は、ユーザの視線に応じて表示部で表示する機能の一覧を変更する制御を行ない、機能の一覧の中からユーザが目的の機能を探しやすくなる情報処理装置等を提供することを目的とする。
【課題を解決するための手段】
【０００６】
請求項１に記載の発明は、自装置に関する複数の機能の一覧を画像として表示する表示部と、前記機能の一覧の中からユーザが目的の機能を選択する選択操作を受け付ける操作部と、ユーザの視線の位置から、前記表示部以外の箇所であり、自装置に対しユーザが見ている箇所を判断し、当該箇所に関係する機能の一覧を当該表示部に表示する制御を行なう制御部と、を備える情報処理装置である。
請求項２に記載の発明は、前記制御部は、ユーザが自装置に対し事前に処理を行なっていたときは、前記箇所に関係する機能を表示せずに、ユ−ザが事前に行なった処理に関する機能を前記表示部に表示することを特徴とする請求項１に記載の情報処理装置である。
請求項３に記載の発明は、前記制御部は、ユーザが、前記箇所を見た後に前記表示部を見たときに、当該表示部に対するユーザの視線の位置に表示する機能に応じた機能を再構成して当該表示部に表示することを特徴とする請求項１に記載の情報処理装置である。
請求項４に記載の発明は、前記制御部は、再構成前に表示していた機能より表示していなかった当該機能を優先して表示することを特徴とする請求項３に記載の情報処理装置である。
請求項５に記載の発明は、ユーザの視線を検知する検知部と、自装置に関する複数の機能の一覧を画像として表示する表示部と、前記機能の一覧の中からユーザが目的の機能を選択する選択操作を受け付ける操作部と、前記検知部により検知したユーザの視線の位置から、前記表示部以外の箇所であり、自装置に対しユーザが見ている箇所を判断し、当該箇所に関係する機能の一覧を当該表示部に表示する制御を行なう制御部と、を備える情報処理システムである。
請求項６に記載の発明は、記録材に画像を形成する画像形成部と、自装置に関する複数の機能の一覧を画像として表示する表示部と、前記機能の一覧の中からユーザが目的の機能を選択する選択操作を受け付ける操作部と、ユーザの視線の位置から、前記表示部以外の箇所であり、自装置に対しユーザが見ている箇所を判断し、当該箇所に関係する機能の一覧を当該表示部に表示する制御を行なう制御部と、を備える画像形成装置である。
【発明の効果】
【０００７】
請求項１の発明によれば、機能の一覧の中からユーザが目的の機能を探しやすくなる情報処理装置が提供できる。
請求項２の発明によれば、ユーザが目的の機能をより正確に表示させることができる。
請求項３の発明によれば、ユーザが目的の機能をさらに探しやすくなる。
請求項４の発明によれば、ユーザが目的とする可能性がより大きい機能を優先的に表示することができる。
請求項５の発明によれば、機能の一覧の中からユーザが目的の機能を探しやすくなる情報処理システムが提供できる。
請求項６の発明によれば、機能の一覧の中からユーザが目的の機能を探しやすくなる画像形成装置が提供できる。
【図面の簡単な説明】
【０００８】
【図１】本実施の形態の情報処理システムについて示した図である。
【図２】本実施の形態に係る画像形成装置の外観図である。
【図３】本実施の形態に係る画像形成装置の内部構造を示す図である。
【図４】ユーザインタフェースに表示される画像の一例を示した図である。
【図５】制御装置の機能構成例を示したブロック図である。
【図６】制御装置の動作の第１の実施形態について説明したフローチャートである。
【図７】ユーザが見ている箇所が原稿搬送部（ＡＤＦ）であったときにユーザインタフェースに表示される機能の一覧を示した例である。
【図８】ユーザが見ている箇所が、手差しトレイであったときにユーザインタフェースに表示される機能の一覧を示した例である。
【図９】制御装置の動作の第２の実施形態について説明したフローチャートである。
【図１０】第２の実施形態でユーザインタフェースに表示される画像の一例を示した図である。
【発明を実施するための形態】
【０００９】
以下、添付図面を参照して、実施の形態について詳細に説明する。
【００１０】
＜情報処理システムの全体構成の説明＞
図１は、本実施の形態の情報処理システムについて示した図である。
図示するように情報処理システムＳは、ユーザの視線を検知する検知部の一例としての検知装置５００と、記録材に画像を形成する画像形成装置（情報処理装置）１とから構成されている。
【００１１】
＜検知装置５００の説明＞
検知装置５００は、ユーザを撮影するカメラ５１０と、カメラ５１０により撮影された画像に基づいてユーザの視線を求める処理装置５２０とを備える。
【００１２】
カメラ５１０は、例えば、入射した光を収束する光学系と、光学系により収束された光を検出する撮像手段であるイメージセンサとを備える。
光学系は、単一のレンズまたは複数のレンズを組み合わせて構成される。レンズの組み合わせおよびレンズ表面に施されたコーティング等により、各種の収差を除去されている。イメージセンサは、ＣＣＤ（Charge Coupled Device）やＣＭＯＳ（Complementary Metal Oxide Semiconductor）等の撮像素子を配列して構成される。
【００１３】
処理装置５２０は、カメラ５１０により撮影された画像を解析し、これを基にユーザの視線を検知する。ここでユーザの視線とは、例えば、ユーザが何れの箇所を見ているかの情報であるが、その他にも例えば、瞳孔の大きさについての情報、凝視しているか否かの情報なども含む。
処理装置５２０は、例えば、カメラ５１０により撮影された画像からユーザの顔や目の部分を抽出し、顔の向きや目の中の瞳の位置などからユーザの視線を検出する。
【００１４】
＜画像形成装置１の全体構成の説明＞
図２は、本実施の形態に係る画像形成装置１の外観図である。図３は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また、画像形成装置１は、ユーザからの操作入力の受付やユーザに対する各種情報の表示を行うユーザインタフェース（ＵＩ）３００を備えている。さらに画像形成装置１は、画像形成装置１全体の動作を制御する制御装置４００を備える。
【００１５】
画像読取装置１００は、画像形成装置１の上部に配置され、画像記録装置２００は、画像読取装置１００の下側に配置され、制御装置４００を内蔵している。ユーザインタフェース３００は、画像形成装置１の上部の手前側、つまり画像読取装置１００の後述する画像読取部１１０の手前側に配置されている。
【００１６】
まずは、画像読取装置１００について説明する。
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１７】
画像読取部１１０は、プラテンガラス１１１と、光を原稿の被読取面（画像面）へ照射する光照射ユニット１１２と、光照射ユニット１１２から原稿の被読取面へ光Ｌが照射されて原稿の被読取面で反射した光Ｌを導く導光ユニット１１３と、導光ユニット１１３によって導かれた光Ｌの光学像を結像する結像レンズ１１４と、を備えている。また、画像読取部１１０は、結像レンズ１１４によって結像された光Ｌを光電変換するＣＣＤ（Charge Coupled Device）イメージセンサ等の光電変換素子で構成され、結像された光学像を検出する検出部１１５と、検出部１１５と電気的に接続されて、検出部１１５によって得られた画像情報としての電気信号が送られる画像処理部１１６と、を備えている。
画像読取部１１０は、原稿搬送部１２０によって搬送される原稿の画像、及びプラテンガラス１１１に載せられた原稿の画像を読み取る。
【００１８】
次に、画像記録装置２００について説明する。
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１９】
画像形成部２０は、一定の間隔を置いて並列的に配置されるイエロー(Ｙ）、マゼンタ(Ｍ）、シアン(Ｃ）、黒(Ｋ）の４つの画像形成ユニット２１Ｙ、２１Ｍ、２１Ｃ、２１Ｋを備えている。各画像形成ユニット２１は、感光体ドラム２２と、感光体ドラム２２の表面を一様に帯電する帯電器２３と、後述する光学系ユニット５０によるレーザ照射によって形成された静電潜像を予め定められた色成分トナーで現像し可視化する現像器２４とを備えている。また、画像形成部２０には、画像形成ユニット２１Ｙ、２１Ｍ、２１Ｃ、２１Ｋの現像器２４に対して各色のトナーを供給するためのトナーカートリッジ２９Ｙ、２９Ｍ、２９Ｃ、２９Ｋが設けられている。
【００２０】
画像形成部２０は、画像形成ユニット２１Ｙ、２１Ｍ、２１Ｃ、２１Ｋの下方に、画像形成ユニット２１Ｙ、２１Ｍ、２１Ｃ、２１Ｋの感光体ドラム２２に対してレーザ光を照射する光学系ユニット５０を備えている。光学系ユニット５０は、図示しない半導体レーザ、変調器の他、半導体レーザから出射されたレーザ光を偏向走査するポリゴンミラー（不図示）と、レーザ光を通過するガラス製のウィンドウ（不図示）と、各構成部材を密閉するためのフレーム（不図示）とを備えている。
【００２１】
また、画像形成部２０は、画像形成ユニット２１Ｙ、２１Ｍ、２１Ｃ、２１Ｋの感光体ドラム２２に形成された各色のトナー像を中間転写ベルト３１上に多重転写させる中間転写ユニット３０と、中間転写ユニット３０上に重畳されて形成されたトナー像を用紙Ｐに転写する二次転写ユニット４０と、用紙Ｐ上に形成されたトナー像を加熱および加圧して定着する定着装置４５と、を備えている。
【００２２】
中間転写ユニット３０は、中間転写ベルト３１と、この中間転写ベルト３１を駆動するドライブローラ３２と、中間転写ベルト３１に一定のテンションを付与するテンションローラ３３と、を備えている。また、中間転写ユニット３０は、各感光体ドラム２２と中間転写ベルト３１を挟んで対向して感光体ドラム２２上に形成されたトナー像を中間転写ベルト３１上に転写するための複数（本実施の形態においては４つ）の一次転写ローラ３４と、中間転写ベルト３１を介して後述する二次転写ローラ４１と対向するバックアップローラ３５とを備えている。
【００２３】
中間転写ベルト３１は、ドライブローラ３２、テンションローラ３３、複数の一次転写ローラ３４、バックアップローラ３５および従動ローラ３６などの複数の回転部材に張りかけられている。そして、中間転写ベルト３１は、駆動モータ（不図示）によって回転駆動されるドライブローラ３２により、矢印方向に予め定められた速度で循環駆動される。この中間転写ベルト３１は、例えば、ゴムまたは樹脂にて成形されたものが使用される。
また、中間転写ユニット３０は、中間転写ベルト３１上に存在する残留トナー等を除去するクリーニング装置３７を備えている。クリーニング装置３７は、トナー像の転写工程が終了した後の中間転写ベルト３１の表面から残留トナーや紙粉等を除去する。
【００２４】
二次転写ユニット４０は、二次転写位置に設けられ中間転写ベルト３１を介してバックアップローラ３５を押圧し、用紙Ｐ上に画像を二次転写する二次転写ローラ４１を備えている。二次転写ローラ４１と、中間転写ベルト３１を介して二次転写ローラ４１と対向するバックアップローラ３５とで、中間転写ベルト３１に転写されたトナー画像が用紙Ｐに転写される二次転写位置が構成される。
定着装置４５は、中間転写ユニット３０によって二次転写された用紙Ｐ上の画像(トナー像）を、加熱定着ローラ４６と加圧ローラ４７とにより、熱および圧力を用いて用紙Ｐに定着させる。
【００２５】
用紙供給部６０は、画像が形成される用紙を収容する用紙収容部６１と、用紙収容部６１の各々に収容された用紙Ｐを送り出す送出ロール６２と、送出ロール６２にて送り出された用紙Ｐが搬送される搬送路６３と、搬送路６３に沿って配置され送出ロール６２によって送り出された用紙Ｐを二次転写位置へ搬送する搬送ロール６４、６５、６６と、を備えている。また用紙供給部６０は、手差しにより用紙を供給することができる手差しトレイ６７をさらに備えている。手差しトレイ６７は、折りたたみが可能であり、使用しない状態では折りたたんでおき、使用するときには開いて用紙Ｐをセットすることができる。図３では、手差しトレイ６７は、折りたたんだ状態を図示している。
【００２６】
用紙排出部７０は、画像形成部２０の上方に設けられて、画像形成部２０にて画像が形成された用紙Ｐを積載する第１の積載トレイ７１と、この第１の積載トレイ７１と画像読取装置１００との間に設けられて、画像形成部２０にて画像が形成された用紙を積載する第２の積載トレイ７２と、を備えている。
用紙排出部７０は、定着装置４５よりも搬送方向下流側に設けられて、トナー画像が定着された用紙Ｐを搬送する搬送ロール７５と、この搬送ロール７５の搬送方向下流側に設けられて、用紙Ｐの搬送方向を切り替える切替ゲート７６と、を備えている。また、用紙排出部７０は、切替ゲート７６の搬送方向下流側に、切替ゲート７６によって切り替えられた搬送方向の一方側（図３における右側）に搬送される用紙Ｐを第１の積載トレイ７１に排出する第１の排出ロール７７を備えている。また、用紙排出部７０は、切替ゲート７６の搬送方向下流側に、切替ゲート７６によって切り替えられた搬送方向の他方側（図３における上側）に搬送される用紙Ｐを搬送する搬送ロール７８と、搬送ロール７８によって搬送される用紙Ｐを第２の積載トレイ７２に排出する第２の排出ロール７９と、を備えている。
【００２７】
反転搬送部８０は、定着装置４５の側方に、搬送ロール７８を第２の積載トレイ７２に用紙Ｐを排出する方向とは反対の方向に回転させることで反転された用紙Ｐが搬送される反転搬送路８１を備えている。この反転搬送路８１には、反転搬送路８１に沿って複数の搬送ロール８２が設けられている。これらの搬送ロール８２によって搬送された用紙Ｐは、搬送ロール８２によって、再度二次転写位置へ送り込まれる。
【００２８】
また、画像記録装置２００は、画像形成部２０、用紙供給部６０、用紙排出部７０、反転搬送部８０および制御装置４００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００２９】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００３０】
ユーザインタフェース３００は、例えばタッチパネルである。ユーザインタフェース３００をタッチパネルにすることで、画像形成装置１の画像形成条件などの各種情報はタッチパネルに表示される。また本実施の形態では、画像形成装置１に関する複数の機能の一覧を画像として表示する。そしてユーザは、タッチパネルをタッチすることで画像形成条件などの入力操作を行う。また本実施の形態では、ユーザは、一覧の中からユーザが目的の機能を選択する。即ちユーザインタフェース３００は、自装置である画像形成装置１に関する複数の機能の一覧を画像として表示する表示部として機能するとともに、一覧の中からユーザが目的の機能を選択する選択操作を受け付ける操作部として機能する。なおユーザインタフェース３００は、タッチパネルに限られるものではなく表示部としての機能と、操作部としての機能を分けてもよい。つまりユーザインタフェース３００は、液晶ディスプレイ等からなる表示部と、物理キー等からなる操作部とを別々に備える構成であってもよい。
【００３１】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線Ｎに接続する図示しないパーソナルコンピュータ（ＰＣ）等から印刷のジョブを画像形成装置１に送信することでプリントを行なうことができる。即ち、通信回線Ｎを介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線Ｎを介して送信できる。あるいはユーザは、原稿の画像データを保存することができる。即ち、原稿の画像データを画像形成装置１内部や通信回線Ｎに接続したＰＣに保存できる。
【００３２】
ここでは、ユーザが原稿のコピーやプリントを行なう場合を例に取り、画像形成装置１の動作について詳しく説明を行なう。
画像読取装置１００によって読み取られた原稿の画像や、ＰＣ等から受信した画像データは、予め定められた画像処理が施され、画像処理が施された画像データは、イエロー（Ｙ）、マゼンタ（Ｍ）、シアン（Ｃ）、黒（Ｋ）の４色の色材階調データに変換され、光学系ユニット５０に出力される。
【００３３】
光学系ユニット５０は、入力された色材階調データに応じて、半導体レーザ（図示せず）から出射されたレーザ光を、ｆ−θレンズ（不図示）を介してポリゴンミラーに出射する。ポリゴンミラーでは、入射されたレーザ光を各色の階調データに応じて変調し、偏向走査して、図示しない結像レンズおよび複数枚のミラーを介して画像形成ユニット２１Ｙ、２１Ｍ、２１Ｃ、２１Ｋの感光体ドラム２２に照射する。
【００３４】
画像形成ユニット２１Ｙ、２１Ｍ、２１Ｃ、２１Ｋの感光体ドラム２２では、帯電器２３で帯電された表面が走査露光され、静電潜像が形成される。形成された静電潜像は、各々の画像形成ユニット２１Ｙ、２１Ｍ、２１Ｃ、２１Ｋにて、イエロー（Ｙ）、マゼンタ（Ｍ）、シアン（Ｃ）、黒（Ｋ）の各色のトナー像として現像される。画像形成ユニット２１Ｙ、２１Ｍ、２１Ｃ、２１Ｋの感光体ドラム２２上に形成されたトナー像は、中間転写体である中間転写ベルト３１上に多重転写される。
【００３５】
一方、用紙供給部６０では、画像形成のタイミングに合わせて送出ロール６２が回転して用紙収容部６１に収容されている用紙Ｐを取り上げ、搬送路６３を介して搬送ロール６４、６５にて搬送される。その後、トナー像が形成された中間転写ベルト３１の移動タイミングに合わせて搬送ロール６６が回転し、用紙Ｐは、バックアップローラ３５および二次転写ローラ４１によって形成される二次転写位置に搬送される。二次転写位置にて、下方から上方に向けて搬送される用紙Ｐには、圧接力および予め定められた電界を用いて、４色が多重されているトナー像が副走査方向に順次、転写される。そして、各色のトナー像が転写された用紙Ｐは、定着装置４５によって熱および圧力で定着処理を受けた後に排出され、第１の積載トレイ７１あるいは第２の積載トレイ７２に積載される。
【００３６】
両面印刷の要求があった場合には、一方の面に画像が形成された用紙Ｐは、反転搬送部８０にて表裏が反転するように搬送され、再度二次転写位置に送られる。そして、二次転写位置にて、用紙Ｐの他方の面にトナー像が転写され、定着装置４５にて転写された画像が定着される。その後、両面に画像が形成された用紙Ｐは、排出され、第１の積載トレイ７１あるいは第２の積載トレイ７２に積載される。
【００３７】
またユーザインタフェース３００は、以下のように動作する。
図４は、ユーザインタフェース３００に表示される画像の一例を示した図である。
ユーザインタフェース３００に表示される画像は、上述したように自装置である画像形成装置１に関する複数の機能の一覧である。
【００３８】
図示する例では、ユーザインタフェース３００が、通常の状態で表示する機能の一覧を示している。この場合、ユーザインタフェース３００は、コピー、ファクス／インターネットファクス、スキャナ（メール送信）、ジョブフロー、どこでもプリント、らくらくファクス、スキャナ（ＰＣ保存）、外部アクセス、スキャナ（ボックス保存）、ボックス操作、ジョブメモリ、デジカメプリントのそれぞれの機能を表すアイコンを表示し、これを一覧としている。
【００３９】
そしてユーザは、目的の機能を利用するためには、何れかのアイコンを選択する選択操作を行なう。
選択操作は、具体的には、ユーザインタフェース３００がタッチパネルであった場合は、ユーザがアイコンに対しタッチする操作である。なおこれに限られるものではなく、例えば、ユーザインタフェース３００が液晶ディスプレイと物理キーとに分かれて構成される場合は、物理キーである矢印キーを押下することでユーザがアイコンを選択し、同様に物理キーである決定キーを押下する操作を選択操作とすることができる。
【００４０】
しかしながら機能の数がより多くなると、全ての機能を一度にユーザインタフェース３００に表示することはできなくなる。これを解決するために、例えば、機能を階層構造にして表示することがある。この場合、ユーザは、上位の階層から下位の階層へ順次選択操作を行なうことで目的の機能に辿り着くことができる。
しかしユーザによっては自分の使いたい機能がどこにあるか分かりにくい場合がある。このとき階層が深い場合は階層を降りたり上がったりするのに手間と時間がかかる。また階層を浅くして一つの画面上に多くの機能を表示するとユーザが目的の機能を探すのに時間を要する問題がある。
そこで本実施の形態では、制御装置４００が、ユーザインタフェース３００に表示される機能の一覧を以下のようにすることで、この問題の抑制を図っている。なお詳しくは後述するが、制御装置４００は、ユーザの視線の位置に関係する機能の一覧をユーザインタフェース３００に表示する制御を行なう制御部として機能する。
【００４１】
＜制御装置４００の説明＞
図５は、制御装置４００の機能構成例を示したブロック図である。なお図５では、制御装置４００が有する種々の機能のうち本実施の形態に関係するものを選択して図示している。
図示するように本実施の形態の制御装置４００は、ユーザの視線を判断する視線判断部４０１と、画像形成装置１で行なう処理の情報を取得する処理取得部４０２と、ユーザインタフェース３００に表示する機能を決定する機能一覧決定部４０３と、ユーザインタフェース３００に表示する画像を制御する表示制御部４０４とを備える。
【００４２】
視線判断部４０１は、検知装置５００（図１参照）で検出したユーザの視線に関する情報を取得する。そして視線判断部４０１は、ユーザが何れの箇所を見ているかを判断する。
【００４３】
処理取得部４０２は、現状において画像形成装置１で行なう処理の情報を取得する。例えば、ユーザが事前に画像形成装置１で印刷を行なうために、ＰＣ等から印刷のジョブを送信していた場合、この処理の情報を取得する。
【００４４】
機能一覧決定部４０３は、ユーザが見ている箇所により、ユーザインタフェース３００に表示する機能を決定する。
【００４５】
表示制御部４０４は、機能一覧決定部４０３で決定された機能の一覧をユーザインタフェース３００にて表示する制御を行なう。実際には、表示制御部４０４は、予め定められた時間間隔でユーザインタフェース３００にて表示する画像の画像データを生成し、その画像データをユーザインタフェース３００に対し順次出力する。
【００４６】
＜制御装置４００の動作の説明＞
［第１の実施形態］
次に制御装置４００の動作の第１の実施形態について説明を行なう。
図６は、制御装置４００の動作の第１の実施形態について説明したフローチャートである。
【００４７】
まず視線判断部４０１が、検知装置５００で検出したユーザの視線に関する情報を取得する（ステップ１０１）。さらに視線判断部４０１は、ユーザの見ている箇所を判断する（ステップ１０２）。
【００４８】
次に処理取得部４０２が、現状において画像形成装置１で行なう処理の情報を取得する（ステップ１０３）。
【００４９】
そして機能一覧決定部４０３が、ユーザが見ている箇所および処理取得部４０２で取得した処理の種類により、ユーザインタフェース３００に表示する機能を決定する（ステップ１０４）。
【００５０】
さらに表示制御部４０４が、機能一覧決定部４０３で決定された機能の一覧をユーザインタフェース３００にて表示する制御を行なう（ステップ１０５）。
【００５１】
図７および図８は、第１の実施形態でユーザインタフェース３００に表示される画像の一例を示した図である。
このうち図７は、ユーザが見ている箇所が原稿搬送部１２０（ＡＤＦ）（図３参照）であったときにユーザインタフェース３００に表示される機能の一覧を示した例である。
このときにユーザインタフェース３００では、原稿搬送部１２０（ＡＤＦ）を使う機能の一覧がアイコンを並べることで表示される。具体的には、ユーザインタフェース３００は、コピー、ファクス／インターネットファクス、スキャナ（メール送信）、スキャナ（ＵＲＬ送信）、らくらくコピー、らくらくファクス、スキャナ（ＰＣ保存）、ＥＣＯコピー、スキャナ（ボックス保存）、スキャナ（ＵＳＢ保存）のそれぞれの機能を表すアイコンを表示し、これを一覧としている。これらの機能は、スキャン、プリント、ファクスに関連する機能であり、図４で示した通常の状態で表示する機能の一覧とは異なる。
【００５２】
また図８は、ユーザが見ている箇所が、手差しトレイ６７（図３参照）であったときにユーザインタフェース３００に表示される機能の一覧を示した例である。
このときにユーザインタフェース３００では、手差しコピーに関する機能の一覧がアイコンを並べることで表示される。具体的には、ユーザインタフェース３００は、自動サイズ、定型サイズ、非定型サイズを表すアイコンを表示し、これを一覧としている。なおこの場合、手差しコピーに関する機能を表示するのではなく、手差しトレイ６７の使い方（用紙Ｐをセットする向きを説明するなど）を表示してもよい。
【００５３】
またユーザが見ている箇所が、排出トレイである第１の積載トレイ７１や第２の積載トレイ７２（図３参照）であったときは、ユーザは、プリント後の用紙Ｐを回収するだけであると考えられるため、ユーザインタフェース３００に表示される機能の一覧は、図４で示した通常の状態でよい。
【００５４】
図７および図８で示す例は、機能一覧決定部４０３は、ユーザの視線の位置に関係する機能を決定し、表示制御部４０４は、その機能の一覧をアイコンとしてユーザインタフェース３００に表示する場合である。
【００５５】
一方、処理取得部４０２で取得した処理が、ユーザからの印刷のジョブであった場合、ユーザが見ている箇所が何れであっても、プリント機能に関する機能が表示される。この場合、機能一覧決定部４０３は、ユ−ザが事前に行なった処理に関する機能を決定し、表示制御部４０４は、その機能をユーザインタフェース３００に表示する。
【００５６】
［第２の実施形態］
次に制御装置４００の動作の第２の実施形態について説明を行なう。
図９は、制御装置４００の動作の第２の実施形態について説明したフローチャートである。
【００５７】
なお図９でステップ２０１〜ステップ２０５の処理は、図６のステップ１０１〜ステップ１０５の処理と同様であるので説明を省略する。
【００５８】
ステップ２０５以後は、視線判断部４０１が、検知装置５００で検出したユーザの視線に関する情報をさらに取得する（ステップ２０６）。そして視線判断部４０１は、ユーザの見ている箇所を判断する（ステップ２０７）。
【００５９】
次に視線判断部４０１が、ユーザが見ている箇所が、ユーザインタフェース３００であるかを判断する（ステップ２０８）。
【００６０】
そしてユーザが見ている箇所が、ユーザインタフェース３００でなかった場合（ステップ２０８でＮｏ）、ステップ２０４に戻る。
対して、ユーザが見ている箇所が、ユーザインタフェース３００であった場合（ステップ２０８でＹｅｓ）、機能一覧決定部４０３が、ユーザインタフェース３００に対するユーザの視線の位置に表示する機能に応じた機能を決定する（ステップ２０９）。
そして表示制御部４０４が、その機能を再構成してユーザインタフェース３００に表示する（ステップ２１０）。
【００６１】
図１０は、第２の実施形態でユーザインタフェース３００に表示される画像の一例を示した図である。
【００６２】
図示する例は、上記ステップ２０８で、ユーザが見ている箇所が、ユーザインタフェース３００であり、その箇所が例えば、「スキャナ（メール送信）」のアイコンであった場合を示している。
このときユーザインタフェース３００には、「スキャナ（メール送信）」の機能に応じた機能として、「スキャナ（メール送信）」の他に、「スキャナ（ＵＲＬ送信）」、「スキャナ（ＰＣ保存）」、「スキャナ（ＵＳＢ保存）」、「スキャナ（ボックス保存）」、「おぼえてスキャン」の各アイコンが表示される。
【００６３】
なおこのとき再構成前の先に表示していた機能の一覧にはない機能を優先的に表示するようにしてもよい。例えば、図４に示したような通常の状態で表示する機能の一覧にはなく、階層を降りなければ見つからない機能を優先的に表示する。
【００６４】
以上説明した形態によれば、ユーザの視線に応じてユーザインタフェース３００に表示する機能の一覧を変更する制御を行ない、一覧の中からユーザが目的の機能を探しやすくなる。
【００６５】
なお上述した例では、情報処理装置として画像形成装置１を例に取り説明を行なったがこれに限るものではない。即ち、複数の機能の一覧を画像として表示する装置であれば、本実施の形態の適用が可能である。例えば、機能の一覧としてアプリケーションソフトウェアのアイコンを並べて表示する携帯電話、スマートフォン、タブレットのような機器に対しても適用できる。
【００６６】
また上述した例では、検知装置５００と情報処理装置である画像形成装置１とを別体として設け、情報処理システムＳを構成していたが、例えば、検知装置５００を画像形成装置１に内蔵させ、一体としてもよい。
【符号の説明】
【００６７】
１…画像形成装置、２０…画像形成部、３０…中間転写ユニット、４０…二次転写ユニット、４５…定着装置、１００…画像読取装置、２００…画像記録装置、３００…ユーザインタフェース、４００…制御装置、４０１…視線判断部、４０２…処理取得部、４０３…機能一覧決定部、４０４…表示制御部、５００…検知装置、Ｓ…情報処理システム
【図１】
0006729054.tif 000002
【図２】
0006729054.tif 000003
【図３】
0006729054.tif 000004
【図４】
0006729054.tif 000005
【図５】
0006729054.tif 000006
【図６】
0006729054.tif 000007
【図７】
0006729054.tif 000008
【図８】
0006729054.tif 000009
【図９】
0006729054.tif 000010
【図１０】
0006729054.tif 000011